(57)【要約】多くの異なる基地局間で共用できる高度に効率的なブロードキャストチャネルのための方法及び装置が提供される。１つの実施形態において、本発明は、第１再使用係数を有する第１バーストと、第１再使用係数より大きい第２再使用係数を有する複数の第２バーストと、変化しない空間パラメータの異なるセットに各セグメントが関連付けられ、各第２バーストが複数のセグメントの少なくとも１つの繰り返しを含む、各第２バーストの複数のセグメントとを備えるブロードキャストチャネル構造を含む。
2005531994.tif 000002
【特許請求の範囲】
【請求項１】
第１再使用係数を有する第１バーストと、
前記第１再使用係数より大きな第２再使用係数を有する複数の第２バーストと、
各第２バーストの複数のセグメントと、
を含み、変化しない空間パラメータの異なるセットに各セグメントが関連し、各第２バーストは前記複数のセグメントの少なくとも１つの繰り返しを含むことを特徴とするブロードキャストチャネル構造。
【請求項２】
前記第２バーストは、異なる変化しない空間パラメータの固有のセットに対応するプリアンブルセグメントを更に含み、該プリアンブルセグメントは、前記それぞれのバースト内で繰り返されないことを特徴とする請求項１に記載の構造。
【請求項３】
前記セグメントはシンボルのシーケンスを各々包含し、各セグメントの前記シンボルは、同じビットシーケンスに基づいており、該ビットシーケンスは各セグメントで異なる方法でスクランブルをかけられることを特徴とする請求項１に記載の構造。
【請求項４】
前記複数のセグメントの各繰り返しは、異なる方法でスクランブルをかけられることを特徴とする請求項３に記載の構造。
【請求項５】
前記複数のセグメントの各繰り返しは、同じセグメントの順序であることを特徴とする請求項１に記載の構造。
【請求項６】
前記シンボルのシーケンスは、コードワードのセットの中のコードワードから選択されることを特徴とする請求項３に記載の構造。
【請求項７】
前記コードワードのセットの各コードワードが、ブロードキャストチャネルで変調される場合には、同じ平均振幅を有することを特徴とする請求項６に記載の構造。
【請求項８】
前記コードワードのセットは、複数の異なるブロードキャストチャネル無線装置の特定のブロードキャストチャネル無線装置と関連することを特徴とする請求項７に記載の構造。
【請求項９】
前記コードワードのセットの各コードワードは、前記バーストが送信される前記変調空間で最も近いコードワードから同じ位相距離を有することを特徴とする請求項７に記載の構造。
【請求項１０】
前記コードワードのセットは、Ｗａｌｓｈ−Ｈａｄａｍａｒｄのコードワードセットを含むことを特徴とする請求項６に記載の構造。
【請求項１１】
前記第１バーストは、ほぼ全てのブロードキャストチャネル送信器によって同時に使用されることを特徴とする請求項１に記載の構造。
【請求項１２】
前記第１再使用係数が１であることを特徴とする請求項１に記載の構造。
【請求項１３】
前記第２バーストは、ブロードキャストチャネル送信器の異なるセットによって各々使用されることを特徴とする請求項１に記載の構造。
【請求項１４】
第２バーストの数は、前記第２バーストの再使用係数に一致することを特徴とする請求項１に記載の構造。
【請求項１５】
前記第１バーストが受信端末による信号収集用であり、前記第２バーストが特定の送信端末に関するデータの送信用であることを特徴とする請求項１に記載の構造。
【請求項１６】
前記空間パラメータは、アンテナアレイの素子全体の相対位相及び振幅を含むことを特徴とする請求項１に記載の構造。
【請求項１７】
前記空間パラメータは、選択された方向にエネルギーを向けるよう選択されることを特徴とする請求項１に記載の構造。
【請求項１８】
第１再使用係数を有するブロードキャストチャネルの第１バーストを送る段階と、
前記第１再使用係数より大きな第２再使用係数を有する前記ブロードキャストチャネルの複数の第２バーストを送る段階と、
を含み、
前記第２バーストが各々複数のセグメントを有し、変化しない空間パラメータの異なるセットを備えたアンテナアレイから前記各セグメントがそれぞれ送られ、前記複数のセグメントが少なくとも１回の繰り返しで送られることを特徴とする方法。
【請求項１９】
異なる変化しない空間パラメータの固有のセットを備えたプリアンブルセグメントを前記アンテナアレイから各々の第２バースト内で送る段階を更に含み、前記プリアンブルセグメントが繰り返されないことを特徴とする請求項１８に記載の方法。
【請求項２０】
前記セグメントの各々がシンボルのシーケンスを包含し、各セグメントの前記シンボルは、同じビットシーケンスに基づいており、該ビットシーケンスは各セグメントで異なる方法でスクランブルをかけられることを特徴とする請求項１８に記載の方法。
【請求項２１】
前記複数のセグメントの各繰り返しは、異なる方法でスクランブルをかけられることを特徴とする請求項２０に記載の方法。
【請求項２２】
少なくとも１つの繰り返しで前記複数のセグメントを送る段階は、同じセグメント順序で前記複数のセグメントを送る段階を含む請求項１８に記載の方法。
【請求項２３】
前記シンボルのシーケンスは、コードワードのセットの中のコードワードから選択されることを特徴とする請求項２０に記載の方法。
【請求項２４】
前記コードワードのセットの各コードワードは、ブロードキャストチャネル上で変調される場合は、同じ平均振幅を有することを特徴とする請求項２３に記載の方法。
【請求項２５】
前記コードワードのセットは、複数の異なるブロードキャストチャネル無線装置の特定のブロードキャストチャネル無線装置に関連することを特徴とする請求項２４に記載の方法。
【請求項２６】
前記コードワードのセットの中の各コードワードは、前記バーストが送信される前記変調空間で最も近いコードワードから同じ位相距離を有することを特徴とする請求項２４に記載の方法。
【請求項２７】
前記コードワードのセットは、Ｗａｌｓｈ−Ｈａｄａｍａｒｄコードワードセットを含むことを特徴とする請求項２３に記載の方法。
【請求項２８】
前記第１再使用係数は１であることを特徴とする請求項１８に記載の方法。
【請求項２９】
前記複数の第２バーストを送る段階は、ブロードキャストチャネル送信器の異なるセットによる各第２バーストを送る段階を含むことを特徴とする請求項１８に記載の方法。
【請求項３０】
前記第２バーストの数は、前記第２バーストの再使用係数に一致することを特徴とする請求項１８に記載の方法。
【請求項３１】
前記第１バーストは受信端末による信号収集用であり、前記第２バーストは特定の送信端末に関するデータの送信用であることを特徴とする請求項１８に記載の方法。
【請求項３２】
前記空間パラメータは、前記アンテナアレイの素子全体の相対位相及び振幅を含むことを特徴とする請求項１８に記載の方法。
【請求項３３】
前記空間パラメータは、選択された方向にエネルギーを向けるよう選択されることを特徴とする請求項１８に記載の方法。
【請求項３４】
機械によって実行されたときに、
第１再使用係数を有するブロードキャストチャネルの第１バーストを送り、
前記第１再使用係数より大きな第２再使用係数を有する前記ブロードキャストチャネルの複数の第２バーストを送り、
前記第２バーストは各々複数のセグメントを有し、変化しない空間パラメータの異なるセットを備えたアンテナアレイから各セグメントがそれぞれ送られ、前記複数のセグメントが少なくとも１回の繰り返しで送られる動作を機械に実行させる命令を表すデータを格納した機械可読媒体。
【請求項３５】
異なる変化しない空間パラメータの固有のセットを備えたプリアンブルセグメントを前記アンテナアレイから各々の第２バースト内で送る段階を更に含み、前記プリアンブルセグメントが繰り返されないことを特徴とする請求項３４に記載の媒体。
【請求項３６】
前記セグメントの各々がシンボルのシーケンスを包含し、各セグメントの前記シンボルは、同じビットシーケンスに基づいており、該ビットシーケンスは各セグメントで異なる方法でスクランブルをかけられることを特徴とする請求項３４に記載の媒体。
【請求項３７】
前記複数のセグメントの各繰り返しは、異なる方法でスクランブルをかけられることを特徴とする請求項３６に記載の媒体。
【請求項３８】
前記シンボルのシーケンスは、コードワードのセットの中のコードワードから選択され、前記コードワードのセットの各コードワードは、ブロードキャストチャネル上で変調される場合は、同じ平均振幅を有することを特徴とする請求項３６に記載の媒体。
【請求項３９】
前記シンボルのシーケンスは、コードワードのセットの中のコードワードから選択され、前記コードワードのセットは、複数の異なるブロードキャストチャネル無線装置の特定のブロードキャストチャネル無線装置に関連することを特徴とする請求項３６に記載の媒体。
【請求項４０】
前記複数の第２バーストを送る段階は、ブロードキャストチャネル送信器の異なるセットによる各第２バーストを送る段階を含むことを特徴とする請求項３４に記載の媒体。
【請求項４１】
前記第１バーストは受信端末による信号収集用であり、前記第２バーストは特定の送信端末に関するデータの送信用であることを特徴とする請求項３４に記載の媒体。
【請求項４２】
他の基地局と送信を同期させるためのタイミング基準と、
第１再使用係数を有する第１バーストと、前記第１再使用係数より大きな第２再使用係数を有し且つ複数のセグメントと該複数のセグメントの少なくとも１つの繰り返しを有する複数の第２バーストの少なくとも１つとを含むブロードキャストチャネルフレームを生成するためのプロセッサと、
前記第１再使用係数の影響下にある前記第１バーストと、変化しない空間パラメータの異なるセットを備えたアンテナアレイから前記セグメントがそれぞれ送られる第２再使用係数の影響下にある少なくとも１つの第２バーストとを送るための送信器と、
を備えるセルラー基地局。
【請求項４３】
前記プロセッサは、前記第２バーストのプリアンブルセグメントを更に生成し、前記送信器は、異なる変化しない空間パラメータの固有のセットを備える前記プリアンブルセグメントを送信し、前記プリアンブルセグメントは、前記それぞれのバースト内で繰り返されないことを特徴とする請求項４２に記載の基地局。
【請求項４４】
前記セグメントの各々はシンボルのシーケンスを包含し、各セグメントの前記シンボルは同じビットシーケンスに基づいており、該ビットシーケンスは各セグメントに対して異なる方法でスクランブルがかけられることを特徴とする請求項４２に記載の基地局。
【請求項４５】
前記シンボルのシーケンスは、コードワードのセットの中のコードワードから選択されることを特徴とする請求項４４に記載の基地局。
【請求項４６】
前記コードワードセットの各コードワードは、ブロードキャストチャネル上で変調される場合に、同じ平均振幅を有することを特徴とする請求項４５に記載の基地局。
【請求項４７】
前記コードワードのセットは、複数の異なるブロードキャストチャネル無線装置の特定のブロードキャストチャネル無線装置に関連することを特徴とする請求項４６に記載の基地局。
【請求項４８】
前記コードワードセットの中の各コードワードは、前記バーストが送信される前記変調空間で最も近いコードワードから同じ位相距離を有することを特徴とする請求項４８に記載の基地局。
【請求項４９】
前記コードワードのセットは、Ｗａｌｓｈ−Ｈａｄａｍａｒｄのコードワードのセットを含むことを特徴とする請求項４７に記載の基地局。
【請求項５０】
前記第１再使用係数は１であることを特徴とする請求項４２に記載の基地局。
【請求項５１】
第２バーストの数は、前記第２セグメントの再使用係数に一致することを特徴とする請求項４２に記載の基地局。
【請求項５２】
前記第１バーストは受信端末による信号収集用であり、前記第２バーストは特定の送信端末に関するデータの送信用であることを特徴とする請求項４２に記載の基地局。
【請求項５３】
前記空間パラメータは、アンテナアレイの素子全体の相対位相及び振幅を含むことを特徴とする請求項４２に記載の基地局。
【請求項５４】
前記空間パラメータは、選択された方向にエネルギーを向けるように選択されることを特徴とする請求項４２に記載の基地局。
【発明の詳細な説明】
【技術分野】
【０００１】
本発明は、一般に、デジタル無線信号通信の分野に関する。更に具体的には、本発明は、空間ダイバーシティシステムで使用し、且つ異なる基地局間で共用できる高度に効率的なブロードキャストバーストに関する。
【背景技術】
【０００２】
セルラー・ボイス無線システムなどの移動式無線通信システムでは、通常、携帯電話又は無線ウェブデバイスなどの移動遠隔端末による使用に利用可能な異なる場所にある幾つかの基地局を有する。各基地局には通常、遠隔端末との通信に使用される周波数又はチャネルのセットが割り当てられる。チャネルは、隣接する基地局間の混信を避けるため、隣接する基地局のチャネルとは異なっている。その結果、遠隔端末は、一方の基地局から受信された送信内容と別の基地局から受信された信号とを容易に区別することができる。更に、各基地局は、割り当てられたチャネル資源の配分及び使用において独立して動作することができる。
【０００３】
このような無線通信システムは、通常、ブロードキャストチャネル（ＢＣＨ）を含む。ＢＣＨは、ネットワーク上への登録の有無に関係なく、全ての遠隔端末へのブロードキャスト（同報通信）であり、遠隔端末にネットワークに関する情報を知らせる。ネットワークにアクセスするために、遠隔端末は通常、ネットワークにアクセスする前にＢＣＨに同調し、該ＢＣＨをリッスンする。遠隔端末は、一般に、ネットワークにアクセスしたい場合には、最も強い又は最も明確なＢＣＨが見つかるまで可能性のある周波数範囲を走査する。次いで、遠隔端末は、同期をとるためにＢＣＨ信号を使用し、ＢＣＨの情報を使用してネットワークへのアクセスを要求する。このような要求は、一般に、別々の制御チャネルとアクセスチャネルを使用してネットワークに関する情報を交換し、結果として遠隔端末が特定の基地局への割り当てを受けることになる。
【０００４】
ＢＣＨは、特定の基地局の範囲内にある全ての可能性のある遠隔端末に送信されるので、通常、全方向に、又は広範な同時方向範囲(simultaneous directional range)にわたってブロードキャストされる。これは、大量の混信及び雑音を引き起こす。また、トラフィックを搬送するのに使用されるはずの資源を消費する。既存の無線システムは、ブロードキャストチャネルの固定された再使用を活用する。トラフィックのために使用される資源が多いほど、トラフィックのために残される資源が少なくなる。空間パラメータ（例えば位相及び振幅）を使用する送信用に設計されたシステムにおいては、アンテナアレイの複数の素子間で、アレイから広いエリアの均一な信号を生成することは難しい。長期にわたる一貫した信号がなければ、ユーザ端末が周波数オフセットを測定することも困難である。信号がバースト内又はバースト間に何らかの予測できない位相変化を含む場合には、これは更に困難になる。
【０００５】
【特許文献１】米国特許第５、８２８、６５８号公報
【特許文献２】米国特許第５、６４２、３５３号公報
【発明の開示】
【課題を解決するための手段】
【０００６】
多くの異なる基地局間で共用することができる高度に効率的なブロードキャストチャネルのための方法及び装置が提供される。１つの実施態様において、本発明は、第１再使用係数を有する第１バーストと、第１再使用係数より大きい第２再使用係数を有する複数の第２バーストとを備え、さらに変化しない空間パラメータの異なるセットに各セグメントが関連付けられ、各第２バーストが複数のセグメントの少なくとも１つの繰り返しを含む、各第２バーストの複数のセグメントとを備えるブロードキャストチャネル構造を含む。
【発明を実施するための最良の形態】
【０００７】
本発明の他の特徴は、添付図面並びに以下の詳細な説明から明らかになるであろう。
本発明は、同じ参照番号が同じ要素を示す添付図面において、実施形態によって例証されるが、これに限定されるものではない。
【０００８】
序論
本発明は、１つの実施形態によれば、ブロードキャストチャネルのバースト間での再使用レベル及び混信レベルの変更を可能にする。換言すると、ＢＣＨは、種々の再使用のレベルで各々送信されるスーパーフレーム内で種々のバーストに分割される。また、種々のバーストは、種々の空間パラメータ、例えば、空間ダイバーシティアレイの素子間の位相及び振幅で送信することができる。Ｆバーストは、全ての基地局によって全方向に送信される。Ｔバーストは、空間パラメータの変化を用いて全ての基地局によって送信される。Ｂバーストは、空間パラメータの変化を有する基地局のサブセットによって送信される。この進行は、混信を最小限に抑えると同時にユーザ端末の受信が強化される。
【０００９】
Ｔバーストは、種々の空間パラメータで各々送信することができるセグメントに分割される。空間パラメータ、例えば位相及び振幅のジャンプ（跳躍）などの変化は、セグメント間でＴバーストの特定の時間にのみ可能になる。この構造は、位相ジャンプが許容される特定の時間に送信重み付けを変えることによって、全方向パターンを実現するために基地局で利用される。広いブロードキャストパターンは、セグメントの全ての組み合わせによる単一のバーストでカバーできる。受信器にＴバーストの周波数オフセットを正確に測定させるために、空間パラメータの各々が二度使用される。受信器は、同じ重み付けを有するＴバーストの２つのセグメントを受信する。これにより、ユーザ端末の動作を損なうことなく単一のバーストにおいてアンテナ素子のアレイからの広いビームパターンが実現される。
【００１０】
その結果、遠隔端末は、単一のバーストのみ受信した後にＢＣＨのパラメータを測定することができる。遠隔端末が、位相、利得、又はチャネルインパルス応答などのＢＣＨパラメータを回復させるのに、ＢＣＨにおいてトレーニングビットは必要でなはなく、送信アレイ又は信号の事前知識も必要ではない。
【００１１】
プロセスフロー
図１は、本発明の一態様によるブロードキャストチャネルＢＣＨバーストを構築し、送信するためのプロセスフロー図を示す。このプロセスは、多くの基地局を含むネットワークにおいて、基地局の範囲内とすることができる任意の加入者局又は遠隔ユーザ端末にＢＣＨバーストを送る基地局（ＢＳ）に関して説明される。
【００１２】
最初にコードワードが基地局のＢＳＣＣ（基地局カラーコード）に基づくＢＣＨバーストセグメントに対して選択される１０３。本実施形態において、各基地局は、任意の近くの基地局と区別するのに使用できる６４の異なる６ビットＢＳＣＣの１つを割り当てられる。コードワードは、適切なＢＳＣＣを表す６４の異なるコードワードのグループから選択される。しかしながら、基地局又はネットワークについての他の情報を包含することができる他のどのようなコードワード又はビットシーケンスも選択できる。１つの実施形態において、コードワードはユーザ端末（ＵＴ）の機能を向上させるよう選択され、以下に更に詳細に説明されるようなどのようなトレーニングも必要とせずコードワードを復調する。コードワードの１つのこのようなセットは、Ｗａｌｓｈ−Ｈａｄａｍａｒｄコードワードセットである。
【００１３】
次いで、選択されたコードワードは、各セグメントに対して異なる線形合同式法疑似乱数発生器シーケンスを使用してスクランブルがかけられる１０５。他の方法として、ＬＦＳＲ（線形フィードバックシフトレジスタ）ＰＳ（疑似ランダムシーケンス）を使用してもよい。いずれか一方の長いシーケンスが異なるスクランブリングコードのセットに分断されることができ、又は異なる離散的ＰＳを各セグメントに対して使用できる。スクランブリングコードはＵＴに対しては既知であり、異なる基地局からの信号を区別するのに使用できる。疑似ランダムの特性により、信号の自己相関特性を改善する利点が得られる。Ｗａｌｓｈ−Ｈａｄａｍａｒｄコードは、一般に、自己相関特性が十分ではなく、従って、ＰＳ、ＢＣＨのピーク平均パワーによって補償される。
【００１４】
コードワードを使用してビットシーケンスを定式化し、これをスクランブルすると、ＢＣＨを変調して、その近傍にある任意のＵＴに送信することができる。ＢＣＨは多くの異なるバーストを包含することができ、或いは、同じバーストを何度も繰り返して送信することができる。本実施形態では、ＢＣＨバーストは、プリアンブルパラメータを有するＢＣＨバーストのプリアンブルセグメントを最初に送ることによって送信される１０７。プリアンブルパラメータは、送信アンテナアレイの異なる素子に加えるための異なる位相及び振幅などの空間パラメータのセットである。空間パラメータは、ＳＤＭＡ（空間分割多元接続）システムのアンテナアレイに使用される送信重み付けベクトルとすることができる。
【００１５】
ＢＣＨバーストは、空間パラメータの第１のセットを有するバーストの第１セグメントを送ることにより継続する１０９。１つの実施形態において、空間パラメータは、放射エネルギーを特定の帯域幅で特定の方向に集中させる。各セグメントは、同じ帯域幅又は異なる帯域幅で異なる方向に送信される。しかしながら、空間パラメータは、特定の帯域幅を有する明確に定義されたビームをもたらす必要はない。
【００１６】
次に、ＢＣＨバーストの第２セグメントが、信号パラメータの第２のセットと共に送られる１１１。ＢＣＨバーストの第３セグメントが、信号パラメータの第３のセットと共に送られ１１３、ＢＣＨバーストの第４から第８セグメントは、異なる空間パラメータと共に各々送られる１１５。空間パラメータは、８つのセグメント全てが送られた後に、基地局の全対象受信エリアがバーストの少なくとも１つのセグメントで受信できるように選択することができる。１つの実施形態では、最初の４つのセグメントの空間パラメータが、最後の４つのセグメントに対して同じ順番で再度使用される。従って、第２セグメントを受信する固定ＵＴは、６番目のセグメントを受信することになる。各々は同じコードワードを包含するが、異なるシーケンスを使用してスクランブルがかけられる。或いは、対象受信エリアは、幾つかの異なるバーストに含まれることができる。本実施形態では、バーストは８つのセグメントを有するが、セグメントの特定の数は、特定のニーズ及び特定のシステムの要求に応じて変わることがある。
【００１７】
上述の単一のＢＣＨバーストのセグメントを受信したＵＴは、基地局の位相を一義的に求めることができる。１つ又は複数のコードワードのスクランブルを解除することによって、基地局を識別することもできる。これによりＵＴは、どのようなトレーニングシーケンスを受信することなく、別の基地局送信を受信することができる。
【００１８】
図２は、本発明の第２の態様によるブロードキャストチャネルＢＣＨバーストを構築し、送信するためのプロセスフロー図を示す。同様にこのプロセスは、多くの基地局を含むネットワークにおいて、基地局の範囲内とすることができる任意の加入者局又は遠隔ユーザ端末にＢＣＨバーストを送る基地局（ＢＳ）に関して説明される。
【００１９】
最初にコードワードが基地局のＢＳＣＣ（基地局カラーコード）に基づいてＢＣＨバーストセグメントに対して選択される２０３。次に、選択されたコードワードは、各セグメントに対して異なる線形合同式法疑似乱数発生器シーケンスを使用してスクランブルがかけられる２０５。コードワードを使用してビットシーケンスを定式化し、これをスクランブルすると、ＢＣＨを変調して、その近傍にある任意のＵＴに送信することができる。ＢＣＨは、多くの異なるバーストを包含することができ、或いは、同じバーストを何度も繰り返して送信することができる。本実施形態では、ＢＣＨバーストは、プリアンブルパラメータを有するＢＣＨバーストのプリアンブルセグメントを最初に送ることによって送信される２０７。プリアンブルパラメータは、送信アンテナアレイの異なる素子に加えるための異なる位相及び振幅などの空間パラメータのセットである。空間パラメータは、ＳＤＭＡ（空間分割多元接続）システムのアンテナアレイに使用される送信重み付けベクトルとすることができる。
【００２０】
ＢＣＨバーストは、空間パラメータの第１のセットを有するバーストの第１セグメントを送ることにより継続する２０９。１つの実施形態において、空間パラメータは、放射エネルギーを特定のビーム幅で特定の方向に集中させる。各セグメントは、同じビーム幅又は異なるビーム幅で異なる方向に送信される。しかしながら、空間パラメータは、特定の幅を有する明確に定義されたビームをもたらす必要はない。
【００２１】
次に、ＢＣＨバーストの第２セグメントが、信号パラメータの第２のセットと共に送られる２１１。ＢＣＨバーストの第３セグメントが、信号パラメータの第３のセットと共に送られ２１３、ＢＣＨバーストの第４セグメントは、信号パラメータの第４のセットと共に送られる２１５。次いで、ＢＣＨバーストの第５から第８セグメントは各々、第１から第４セグメントとそれぞれ同じ空間パラメータを使用して送られる２１７。この結果、空間パラメータの各セットは二度使用される。空間パラメータの特定の順番は重要でないが、同じ空間パラメータを使用する送信間の時間間隔が存在する場合には、セグメントがより受信し易い。空間パラメータは、８つのセグメント全てが送られた後に、基地局の全対象受信エリアがバーストの少なくとも２つのセグメントで受信できるように選択することができる。従って、第２セグメントを受信する固定ＵＴはまた、６番目のセグメントを受信することになる。各々は同じコードワードを包含するが、異なるシーケンスを使用してスクランブルがかけられる。或いは、対象受信エリアは、幾つかの異なるバーストに含まれる。本実施形態では、バーストは８つのセグメントを有するが、セグメントの特定の数は、特定のニーズ及び特定のシステムの要求に応じて変わることがある。
【００２２】
上述の単一のＢＣＨバーストのセグメントを受信したＵＴは、基地局の位相を一義的に求めることができる。１つ又は複数のコードワードのスクランブルを解除することによって、基地局を識別することもできる。これによりＵＴは、どのようなトレーニングシーケンスも受信することなく、別の基地局送信を受信することができる。
【００２３】
セグメントを二度受信することができるので、受信器は、例えば第１と第５セグメント間のどのような位相変化も周波数オフセットに起因すると考えることができる。空間パラメータ又は重みが繰り返される前に時間間隔が存在することは有用である。より大きな間隔はより正確な周波数測定をもたらすが、周波数測定の収集範囲を狭める可能性がある。
【００２４】
図３は、本発明の第３の態様によるブロードキャストチャネル（ＢＣＨ）バーストのシーケンスを構築し、送信するためのプロセスフロー図を示す。同様にこのプロセスは、多くの基地局を含むネットワークにおいて、基地局の範囲内とすることができる任意の加入者局又は遠隔ユーザ端末にＢＣＨスーパーフレームを送る幾つかの基地局（ＢＳ）に関して説明される。スーパーフレームは、基地局の異なるグループによる使用のために設計されたバーストを含む。本明細書で使用されるスーパーフレーム、フレーム、スロット、及びサブスロットという名称は、単に便宜上の参照の目的に過ぎない。以下に説明される各バーストは、説明される例示的な実施形態のスロットのサブスロット、フレームのスロット、又はスーパーフレームのある部分として特徴付けることができる。
【００２５】
最初に、基地局の全てが同時にＢＣＨのＦバーストを送る３０３。１つの実施形態において、Ｆバーストは全ての基地局に同一のバーストであり、ユーザ端末がＢＣＨ受信に関する周波数訂正を行うことができるように選択される。１つの実施形態において、Ｆバーストは純音のペアとして送信される。これによりトーンは、２つの異なる基地局から受信される場合にわずかに位相外れとなることができ、信頼できる周波数基準を得るために受信器によって更に混合することができる。基地局は、Ｆバーストがネットワーク全体に浸透するようにほとんど中継器局として機能する。Ｆバーストの特定のコンテンツは重要ではないが、全基地局に共通のＢＣＨの態様に関連付けられる。Ｆバーストを同時に送るために、基地局は当該技術分野でよく知られる種々の方法のいずれかで同期させることができる。例えばＧＰＳ信号を使用できる。ＧＰＳ信号は、トラフィック用に使用されるはずのどのような周波数資源も消費しないという利点を有する。Ｆバーストは同時に全基地局によって送信されるので、これは、放送電波、システムの通信資源に加えられる最も高いレベルの混信に相当する。
【００２６】
Ｆバーストに続いて、基地局全てがＴバーストを送る３０５。基地局は、Ｆバーストと同じ方法で同期することができる。１つの実施形態において、Ｔバーストは送信する基地局の基地局カラーコード（ＢＳＣＣ）に関する情報を包含するが、Ｆバーストでは、全ての基地局に共通の情報を送信することができる。またＴバーストは、空間パラメータを変えて送ることができる。これにより異なる基地局からＴバーストを同時に受信することができる任意のユーザ端末が、互いに異なる受信バーストを区別できるようになる。またこれは、Ｆバーストに比べてシステム内に投入される混信及び雑音の全体的なレベルを低減する。他の実施形態において、Ｆバースト又はＴバーストのいずれか１つが除去される。説明されるように構成された両方のバーストを使用することでユーザ端末が次のバーストを受信するのを助けると同時に、一方又は他方を除去することで周波数資源を更に節約することになる。
【００２７】
Ｔバーストに続いて、ＢＣＨの最初のＢバーストが送られる３０７。またＢバーストは、変化する空間パラメータを使用して送られる。幾つかのＢバーストが存在し、これらは基地局の１部分だけが各Ｂバーストを使用するように基地局間で振り分けられる。１つの実施形態において、各基地局が１つのＢバーストのみを使用する。これは、Ｂバーストの再使用係数がＢバーストの数に等しいことを意味する。本実施形態において、８つのＢバーストが存在するので再使用係数は８である。Ｂバーストの他の任意の数も、特定のシステム構成のニーズ、基地局の数、及び互いに混信する基地局の傾向に応じて用いることができる。
【００２８】
Ｂバーストは、任意の所望の方法で割り当てることができる。Ｂバーストによって加えられる混信のレベルを最小にするために、同時に送信する基地局ができるだけ互いに離間して存在するように、Ｂバーストを割り当てることができる。１つの実施形態において、これはＢＳＣＣの割り当てに相当する。その結果、ＢＳＣＣの全てが８つのグループに分割され、８つのＢバーストの１つがＢＳＣＣの各グループに割り当てられる。この方法は、ＢＳＣＣが異なる基地局からのＢバーストを識別するのに使用できるという付加的な利点を有する。同じＢＳＣＣを有する同じＢバーストを同時に送信する基地局は、最も距離が離れていることになる。
【００２９】
異なる基地局からのＢバーストは区別し易いので、特定の基地局固有の情報をより良好に運ぶことができる。この情報は、特定の基地局のＢＳＣＣ、送信パワー、トラフィック負荷、使用できる周波数資源及び割り当て、ホッピングシーケンス、及び他のどのような所望の情報をも含むことができる。
【００３０】
第１のＢバーストの後に、基地局の第２グループが第２Ｂバーストを送る３０９。次いでＢＣＨの第３Ｂバーストが第３ＢＳグループから送られる３１１。ＢＣＨの第４Ｂバーストが第４ＢＳグループから送られる３１３。ＢＣＨの第５Ｂバーストが、第５ＢＳグループから送られる３１５。ＢＣＨの第６Ｂバーストが第６ＢＳグループから送られる３１７。ＢＣＨの第７Ｂバーストが第７ＢＳグループから送られ３１９、ＢＣＨの第８Ｂバーストが第８ＢＳグループから送られる３２１。これはスーパーフレームを終了させる。更に、スーパーフレームは、システムが動作している限り、Ｆ、Ｔ、Ｂバーストを再び送ることによって、繰り返すことができる３２３。
【００３１】
バーストは、ある一定数で、且つある特定の順番で送られるものとして説明されるが、これらの係数は、どのような特定のシステム要件を満たすようにも修正することができる。フレームが繰り返されるので、厳密な順序付けはあまり重要ではなく、バーストのどのタイプを最初に送ってもよく、ＢバーストをＦとＴバーストの間に割り込ませることができ、付加的な高い又は低い再使用バーストをスーパーフレームに加えるか、又はスーパーフレームから除くことができる。バーストは、次々に即座に送ることができ、或いは他のバーストをバースト間に割り込ませることができる。バーストは、基地局からの送信専用に使用されるチャネル上にあるか、又はアップリンク及びダウンリンク両方に使用される二重チャネルとすることができる。Ｂバーストの数は、更にシステムのニーズに合うように変えることができる。加えて、本明細書で使用される特定の名称、Ｆ、Ｔ、Ｂは重要ではない。説明される実施形態では、Ｆバーストは、混信の高いレベルを有する共用バーストである。Ｔバーストは、混信のより低いレベルを有する共用バーストであり、Ｂバーストは、混信の最も低いレベルを有する基地局固有のバーストである。しかしながら、再使用、混信発生、及び送信された情報の変化は、どのような特定の用途にも適合するように変えることができる。
【００３２】
ブロードキャストチャネルのスーパーフレーム
本発明の１つの実施形態によると、基地局から全ての潜在ユーザ端末へのバーストとして送信されるブロードキャストチャネルＢＣＨから、各ユーザ端末又は遠隔端末に対して通信セッションが開始される。ＢＣＨバーストは、ＴＣＨ（トラフィックチャネル）バーストとは異なり、ユーザ端末があると思われる多くの異なる方向にセグメントで送信され、固有のビームパターンパラメータはネットワークに依存する。ＢＣＨは十分な基本情報を通信し、これによってＵＴは、例えば、基地局とユーザ端末との間で後でＣＲ（構成要求）及びＣＭ（構成メッセージ）を交換することなどの、自己メッセージを送信することによってネットワークにアクセスすることが可能となる。
【００３３】
更にＢＣＨは、ＢＣＨが特にどのユーザ端末にも具体的に向けられていないときでも、全てのユーザ端末に適切な周波数オフセット及びタイミング更新情報を提供する。本明細書で説明される実施形態は、ビットレートを最小にすると同時にＢＣＨで送信される情報量を最小にするために選択されてきた。ブロードキャストチャネル情報シンボルは、ユーザ端末が基地局からの構成メッセージを要求するのに必要な情報を提供する。また、これらは、ユーザ端末のハンドオーバ決定を誘導するための情報を提供する。
【００３４】
ブロードキャスト論理チャネル（ＢＣＨ）は、ＢＳ（基地局）への構成チャネル（ＣＣＨ）を開放するために、ＵＴ（ユーザ端末）によって使用することができる情報を提供する。これはまた、他の基地局へのハンドオーバ用のＵＴハンドオーバ決定を誘導するための情報を提供する。ＢＣＨ論理チャネルは、固定ＲＦ（無線周波数）資源、例えば特定の時間スロット及び周波数上に基地局のネットワーク全体にわたって設置することができる。この固定ＲＦ資源は、１つの実施形態では、ＢＣＨとＣＣＨ専用であり、ＲＡＣＨ（ランダムアクセスチャネル）ＴＣＨ（トラフィックチャネル）又は他のトラフィックでは使用されない。ＢＣＨとＣＣＨ専用ではない他のスロットは、ＲＡＣＨ、ＴＣＨ、又は他の任意の用途に使用することができる。本実施形態では、ＲＦ割り当ての中心近くのＲＦチャネル上のダウンリンクスロット１がＢＣＨとＣＣＨ機能用に使用される。割り当ての特定の選択は、利用可能な資源とオーバーヘッドトラフィック要件に依存する。
【００３５】
１つの実施形態において、５ＭＨｚのＲＦ割り当ては、各々が幅６２５ｋＨｚの８つのＲＦチャネルに周波数分割される。各ＲＦチャネルは、５ミリ秒フレームに時間分割される。各フレームは、１対のＴＤＤ（時分割二重）構成で受信用に３つ及び送信用に３つである６つのスロットを有する。この特定の専用構造は、１対のＴＤＤシステムで有用であることが分かっているが、要求に応じてＴＤＭＡ、ＦＤＤ、ＣＤＭＡシステムに適合させることができる。高雑音環境又はロバスト性が高い場合には、ＢＣＨは、所定のスキームに従って周波数をホップすることができ、或いは幾つかの異なる周波数上で繰り返すことができる。別の実施形態において、ＢＣＨはその固有のチャネル上にあり、ＲＡＣＨ及び他のオーバーヘッドは別個の制御チャネル上にある。或いは、１つのＢＣＨは一定の周波数で提供することができ、二次ＢＣＨはホッピング周波数を有する別のチャネル上で提供することができる。本明細書で説明される特定の詳細は、本発明の利点を得るのに必ずしも必要ではなく、多くの変形形態が可能である。
【００３６】
詳細には、各５ミリ秒のフレームは以下のフィールドシーケンスを有し、アップリンクスロットは、ユーザ端末（ＵＴ）から基地局（ＢＳ）への通信に使用される受信スロットであり、ダウンリンクスロットは、ＢＳからＵＴへの通信に使用される送信スロットである。
アップリンクスロット１に対して５４５μｓ
アップリンクスロット２に対して５４５μｓ
アップリンクスロット３に対して５４５μｓ
ガード時間  １０μｓ
ダウンリンクスロット１に対して１０９０μｓ
ダウンリンクスロット２に対して１０９０μｓ
ダウンリンクスロット３に対して１０９０μｓ
ガード時間  ８５μｓ
【００３７】
ＢＣＨ論理チャネル、すなわち上記の実施形態での第１ダウンリンクスロットは、Ｆ、Ｔ、Ｂと呼ばれる３つのバーストタイプを搬送する。本実施形態のＦとＴバーストは、１回の再使用がある。全ての基地局は、同時に同じ搬送波上でこれらのバーストを送信する。Ｂバーストは８回の再使用がある。スーパーフレーム構造は、以下のシーケンス：Ｆ  Ｔ  Ｂ１  Ｂ２  Ｂ３  Ｂ４  Ｂ５  Ｂ６  Ｂ７  Ｂ８のように単純化することができる。基地局の全てがＦとＴを使用する場合、基地局の１／８は、例えばブロードキャストスロットＢ５を使用する。
【００３８】
繰り返しスーパーフレーム構造は、以下の表１に更に詳細に示される。スーパーフレームは２０フレームの期間を有する。
【表１】
2005531994.tif 000003
【００３９】
表１に示されるように、フーパーフレームの偶数フレームは「Ｃ」のラベルであり、ＣＣＨ（構成チャネル）バーストを搬送する。奇数フレームはＦ、Ｔ、又はＢバーストを搬送する。シンボルＢ０−Ｂ７で示された８つの異なるバージョンのＢバーストがある。Ｆ、Ｔ、Ｂバーストは、システムの基地局によって異なるように使用される。全ての基地局は、スーパーフレーム毎に一度、適切なフレームで同時にＦとＴバーストを送信する。基地局は、全てがほとんど同時に送信できるように、ＧＰＳ（Ｇｌｏｂａｌ  Ｐｏｓｉｔｉｏｎｉｎｇ  Ｓｙｓｔｅｍ）受信器基準タイミングに全て同期される。
【００４０】
フレームのタイミングは、エリア内にあり且つＢＣＨ用に指定されたＲＦ搬送波上で送信する基地局によって設定される。搬送波は、ユーザ端末用にサーチされ、或いはユーザ端末に予めプログラムできる。複数の基地局、又は一つしかない場合は単一の基地局は、ＧＰＳ又は他の何らかの正確な共通タイミング基準を用いて、フレームタイミングを設定することができる。ＧＰＳタイミングは、正確に同期され且つ全ての基地局に安価で利用可能であるといった利点を提供する。これにより基地局の間でＢＣＨの最小ガード時間だけでＢＣＨを全基地局が共用可能となる。また正確なタイミングにより、遠隔端末は選択の目的で基地局の距離ベースの比較をすることができる。
【００４１】
上述のように、ＦとＴフレームは、スーパーフレームの繰り返し毎に基地局全てによって占有される。これは、再使用係数の１に相当する。しかしながら、Ｂ０からＢ７のラベルの付いたＢフレームは、再使用係数の８を有する。Ｂフレームは、そのＢＳＣＣ（基地局カラーコード）に基づいて各基地局に割り当てられるが、異なるＢフレームの他のどのような数も使用できるように、任意の他の割り当て機構を使用してもよい。Ｂバーストを割り当てる１つの利点は、同じバーストで同時に送信する基地局が少なくとも１つの他の基地局によって互いに隔てられることである。
【００４２】
１つの実施形態において、Ｂｎのラベルの付いたフレーム中に、ＢＳＣＣが、式  ＢＳＣＣ＝ｎ（ｍｏｄ８）を満たす基地局だけが、同時にＢバーストを送信する。０から６３の番号の付いた６４の基地局カラーコードがあり、これは、８つの異なるカラーコードが任意の１つのバーストで基地局によって同時に送信される。
【００４３】
基地局は、１つのグループのＲＦ搬送波を供給する基地局モデムの集合とみなすことができる。或いは、基地局は、単一のサイトにモデムのセットを設置したものとすることができる。他のシステム構成では、各モデム変調器／復調器セットは、基地局とみなすことができる。各基地局には、固有の３２ビット基地局識別子ＢＳＩＤが割り当てられる。ＢＳＩＤは、１つの実施形態において、次のように定義される基地局カラーコードを得るために使用される。
ＢＳＣＣ＝ＢＳＩＤｍｏｄ６４
【００４４】
ＢＳＣＣの関数として、基地局周波数はホップし、ＢＣＨをブロードキャストし、アップリンクＣＲをリッスンし、ＣＲに応答してダウンリンクＣＭを送る。また、ＢＳＣＣは、１つの基地局と送受されるメッセージが隣接する基地局と送受されるメッセージと確実に混同しないように、基地局及び端末によって使用することができる。無線送信が重なり合う地理的地域内においては、ＢＳＣＣは固有に割り当てられる。同じカラーコードの基地局と通信しているユーザ端末を当然見ることのできる基地局はないはずである。同様に、同じＢＳＣＣを割り当てられている２つの基地局を見ることのできるユーザ端末もないはずである。ＵＴは、同じＢＳＣＣを有する２つの基地局の同時通信域には決して存在すべきではない。これが確実に起こるよう助けるために、８の倍数だけ異なるＢＳＣＣを非隣接基地局に割り当てることができる。これにより、スーパーフレームのＢ０からＢ７のラベルが付いたフレームがＵＴで最小の混信しか受けずに確実に受信される。基地局の総数、並びにスーパーフレームのフレーム数、フレームのスロット数、及びＢＣＨバーストを送信するために使用される特定のスロット、ＣＲとＣＭを、特定の用途に適合するように変更することができる。
【００４５】
ブロードキャストチャネルＦバースト
本発明の例証的な実施形態において、Ｆバーストは、
１０μｓのランプアップと、
それに続く１０５６μｓのシンボルｆ（１）からｆ（５２８）と、
それに続く１０μｓのランプダウンと、
それに続く１４μｓのガード時間と、
を包含する。
【００４６】
全てのバースト（Ｆ、Ｔ、Ｂ）のシンボル期間は、２μｓ（１秒につき５００，０００シンボル）である。バーストはＱＰＳＫ（４位相偏移変調）で送信することができ、その結果、公称占有帯域幅が６２５ｋＨｚとなる。
【００４７】
１０５６μｓのシンボルは、既知の予測可能なパターンに従う周波数訂正シンボルを包含する。ユーザ端末で観測されるように、周波数訂正シンボルは２つの複合トーンの混合されたものとすることができる。
【００４８】
ブロードキャストチャネルＴバースト
この実施形態のＴバーストは、各々長さ６４シンボルの８つの連続するＱＰＳＫ信号が後に続く短いプリアンブルから成る。各繰り返し信号は、基地局カラーコード（ＢＳＣＣ）の関数として求められたＷａｌｓｈ−Ｈａｄａｍａｒｄコードワードなどのコードワードから生成される。８つの繰り返しは、ＢＳＣＣに依存しないスクランブリングシーケンスを使用してスクランブルがかけられる。任意のスクランブリングコードを使用することができる。疑似ランダムシーケンスは、変調時に全体的に一貫性のある波形特性をもたらし、当該技術分野でよく知られる種々の方法のいずれを使用しても生成することができる。１つの実施形態において、スクランブリングシーケンスは、合同式法疑似ランダムシーケンス発生器により生成される。
【００４９】
この実施形態のＴバーストは、
１０μｓのランプアップと、
それに続く３２μｓのプリアンブルｒ（１）からｒ（１６）と、
それに続く１０２４μｓのシンボルｔ（１）からｔ（５１２）と、
それに続く１０μｓのランプダウンと、
それに続く１４μｓのガード時間と、
から作られる。
【００５０】
Ｔバーストでは、プリアンブルは、ＱＰＳＫ変調フォーマットでの隣接するシンボルの既知のシーケンスである。種々の異なるシーケンスを使用することができる。プリアンブルシーケンスは、幾らかの付加的なランプアップとガード時間とを備える。特定のシーケンスは、変調フォーマット、ＲＦチャネルの品質、及び他の可能な使用目的に依存する。
【００５１】
シンボルｔ（１）からｔ（５１２）はＢＳＣＣ（基地局カラーコード）の関数である。シンボルｔ（１）からｔ（５１２）は、選択された６４ビットＷａｌｓｈ−Ｈａｄａｍａｒｄの８つのスクランブルをかけられた繰り返し、又はＱＰＳＫ変調を使用する他のタイプのコードワードから成る。１つの実施形態において、８つのスクランブルをかけられた繰り返しの各々が、異なるビームパターンを使用して基地局から送信される。
【００５２】
ブロードキャストチャネルＢバースト
Ｔバーストと同様に、この実施形態でのＢバーストは、各々長さ６４シンボルの８つの連続するＱＰＳＫ信号が後に続く短いプリアンブルから成る。また信号は、Ｗａｌｓｈ−Ｈａｄａｍａｒｄコードワードなどの変調されたコードワードである。長さ６４の単一のコードワードが、ＢＣＨペイロードの関数として選択され、８回繰り返される。各繰り返しは、基地局カラーコードの関数を使用して初期化された線形フィードバックシフトレジスタを使用してスクランブルがかけられる。
【００５３】
Ｂバーストの最後の４セグメントを送信するのに使用される、空間パラメータ、例えば送信重み付けは、最初の４セグメントを送信するのに使用される空間パラメータと同じである。従って、例えば第１セグメントと第５セグメントとの間のどのような位相変化も周波数オフセットに起因するものである。重みが繰り返される前に時間のギャップが存在することは有用であり、より長いギャップはより正確な周波数測定をもたらすが、周波数測定の収集範囲を狭める。例えば、Ｂバーストの第１及び第５セグメントは同じ空間パラメータで送信されるが、２つのセグメントは同一の信号ではない。これらは、異なる方法でスクランブルがかけられた同じＷａｌｓｈ−Ｈａｄａｍａｒｄコードワードを包含する。
【００５４】
Ｂバーストは、
１０μｓのランプアップと、
それに続く３２μｓのプリアンブルｒ（１）からｒ（１６）と、
それに続く１０２４μｓのシンボルｂ（１）からｂ（５１２）と、
それに続く１０μｓのランプダウンと、
それに続く１４μｓのガード時間と、
から成る。
【００５５】
Ｔバーストと同様に、Ｂバーストのプリアンブルは、ＱＰＳＫ変調フォーマットでの隣接するシンボルの既知のシーケンスである。種々の異なるシーケンスを使用することができる。このシーケンスは、ＵＴ設定タイミングを容易にする。特定のシーケンスは、変調フォーマット、ＲＦチャネルの品質、その他の可能な使用目的に依存する。
【００５６】
シンボルｂ（１）からｂ（５１２）は、基地局カラーコードＢＳＣＣ、基地局送信パワーｂｓＴｘＰｗｒ、及び基地局負荷ｂｓＬｏａｄの関数である。これらのシンボルは、種々の異なる方法で得ることができる。１つの実施形態では、６ビットメッセージがｐ（１）からｐ（６）として定義される。最初の４ビットｐ（１）からｐ（４）は、基地局送信パワーフィールドｂｓＴｘＰｗｒを伝送する。最後の２ビットはｂｓＬｏａｄフィールドを伝送する。
【００５７】
ｂｓＴｘＰｗｒフィールドは、アンテナ当たりのＢバーストの送信パワーとしてＵＴによって解読される。これは、式：
ｂｓＴＸＰ ｗｒ＝３（ｐ（１）＋２ｐ（２）＋４ｐ（３）＋８ｐ（４））ｄＢｍを使用して符号化することができる。
【００５８】
従って、ｂｓＴｘＰｗｒフィールドは、パワーを３ｄＢステップで０から４５ｄＢｍまで符号化する。ＢＳｔｘＰｗｒは、ブロードキャストメッセージの実効等方放射パワーとすることができる。この数字は、基地局で利用可能な増幅器及びダイバーシティアンテナの数を考慮して基地局によって送信されるパワーを示す。
【００５９】
ｐ（５）とｐ（６）に符号化されたｂｓＬｏａｄフィールドは、基地局の現在のトラフィック負荷の指標となる。４つの可能な値｛ｐ（５），ｐ（６）｝＝｛００，１０，０１，１１｝は、軽、中、重、超重の負荷状態をそれぞれ示す。ＢＳｌｏａｄは、ユーザ端末が、ランダムアクセスメッセージを送る頻度、及びアクセスを試みるか否かを確定するために使用する基地局での負荷である。ＢＳｌｏａｄは、基地局が有する未使用の容量の指標である。加入者は、トラフィック容量の異なる量を要求することができるので、アクティブな登録加入者の数とは異なることもある。ＢＳｌｏａｄは、最大可能負荷に対して測定された数分の期間にわたる基地局の各モデムの送信及び受信ビットレートを表す。
【００６０】
ＢＣＨバーストのデータ速度を更に最小にするため、ＢＳＣＣ及びＢＳｌｏａｄをＢＣＨバーストから除去することができる。その結果、ＢＣＨバーストは、トレーニング又は同期化及びＢＳｔｘＰｗｒだけの、ハンドオーバ決定に直接関係する情報のみを含むことになる。ユーザ端末は、受信されたＢＣＨバーストのタイミングに基づいて選択及びハンドオーバ決定のために異なる基地局を更に区別し比較することができる。またユーザ端末は、タイミングに基づいてアクセスを要求するメッセージを向けることができる。
【００６１】
システムにおいて基地局のためにごくわずかの可能なパワーレベル、例えば２つの異なる送信パワーレベルしか存在しない場合には、２つのパワーレベルは、２つの異なるトレーニングシーケンスを供給することによって区別することができる。これにより、ＢＳＴｘＰｗｒビットを省くことができる。単一の基地局システム、又は全ての基地局が同じパワーで送信する場合には、ＢＳＴｘＰｗｒビットは同様に削除することができる。基地局が１つだけの場合には、信号が受信できるかどうかを除いて、経路損失を評価する必要はない。残りのネットワーク情報は、登録時に学習することができる。
【００６２】
６ビットシーケンスが取得されると、これを用いてＷａｌｓｈ−Ｈａｄａｍａｒｄコードワードなどのコードワードを選択することができ、これは６４ビットシーケンスｈ（１）からｈ（６４）としてＢＳＣＣと共に情報を符号化するのに使用される。コードワードｈ（１）からｈ（６４）は、スクランブルをかけられて、シンボルｂ（１）からｂ（５１２）として送信される。
【００６３】
シンボルｂ（１）からｂ（５１２）は、ＱＰＳＫ変調によるコードワードｈ（１）からｈ（６４）の８つのスクランブルをかけられた繰り返しから成る。Ｔバーストと同様に、最初の４つの繰り返しは、異なるビームパターンを使用して基地局から送信され、最後の４つの繰り返しは、同じ順序で最初の４つと同じビームパターンを使用する。すなわち、繰り返し０及び４は、同じビームパターンを使用し、繰り返し１及び５は同じビームパターンを使用する、などである。
【００６４】
非コヒーレント変調
上述のＢＣＨでの不連続性により、ＢＣＨは最小の混信でＢＳ受信可能エリア全体に送信することが可能となる。しかしながら、これは受信器に問題を生じる。従って、ブロードキャストバーストの変調及び符号化構成は、バーストのセグメント間に生じる位相及び振幅の変化を許容するときに受信器を助けるように選択することができる。これは、幾つかの方法で実現できる。
【００６５】
１つの方法は、ＢＣＨの各セグメントにトレーニング又はパイロットデータシンボルを含むことである。受信された信号を既知のトレーニング又はパイロットシンボルと比較することによって、受信器は各セグメントの利得及び位相を推定することができる。次に利得及び位相は、全受信バースト全体にわたって、ある公称値（１などのような）に訂正することができる。次いで、訂正されたバーストは、位相又は利得の変化を無視して処理することができる。
【００６６】
パイロットシンボルの欠点は、これらが情報信号を送信するのに使用することができるはずの信号エネルギーを消費してしまうということである。必要とされるシンボルの数は、ブロードキャストチャネルが動作できる低ＳＮＲ（信号対雑音比）でのバーストの極めて大部分とすることができる。
【００６７】
セグメント間の位相変化を促進する別の方法は、コヒーレントな差動信号方式である。例えば、ＤＰＳＫ（差動位相シフトキーイング）は、連続するシンボル間の位相変化の情報を符号化する。受信器が差動受信器を使用する場合は、セグメント境界に発生する急激な位相変化は１つ又は２つのエラーを生じるが、セグメントの残りは正確に処理される。送信器でのエラー訂正符号化及び受信器でのエラー訂正は、これらのエラーを修復するのに使用できる。しかしながら、ＤＰＳＫなどの差動信号方式には幾つかの欠点がある。１つの欠点は、上述のようなセグメントの境界に発生することになるエラーである。別の欠点は、差動受信器の性能が低いことである。
【００６８】
差動受信器は、セグメントの間の位相変化に追従しようとする。上記に説明されたＢＣＨバーストでは、送信器が固定ビームパターンを使用して各セグメントを送信する。この結果、位相はセグメントの間では有意に変化しない。位相が有意に変化しないメッセージを受信するために差動受信器を使用することは、各バーストセグメントの繰り返し中に性能を劣化させてしまうため無駄である。
【００６９】
パイロットシンボル及び差動変調を防ぐ別の方法は、非コヒーレントの変調及び符号化を用いることである。この方法は、受信器での位相回復を必要としない。非コヒーレント変調の１つのタイプは直交信号方式であり、Ｍ個の等しいエネルギーの直交信号のセット｛ｘ＿ｉ（ｔ）：ｉ＝１−Ｍ｝からの一つが、各セグメントでの送信のために選択される。例えば、６ビットメッセージを送信するために、Ｍ＝２6＝６４の直交信号が必要である。
【００７０】
便宜上、直交信号は直交行列Ｈの行によって定義することができ、ここで直交性とはＨとその共役転置Ｈ＾＊との積がスケール単位行列であることを意味する。Ｈの成分が＋１又は−１の値を更にとる場合は、信号を二相位相シフトキーイングを使用して送信することができ、これによって送信器と受信器が単純化される。１つのこのような行列Ｈは、上述のＷａｌｓｈ−Ｈａｄａｍａｒｄである。
【００７１】
多種多様な異なる非コヒーレント直交信号方式フォーマットが存在する。また幾つかのフォーマットは、例外として、ＰＰＭ（パルス位置変調）及びＦＳＫ（周波数シフトキーイング）などの非コヒーレント信号方式を含む場合がある。直交し且つ等しい振幅のコードワードセットが、非コヒーレント信号方式で良好に作動する場合は、これらの制約は大幅に緩和される。コードワードは、受信器で容易に区別できるよう完全に相関性が無いことだけが必要である。これは、送信器及び受信器のチャネルの品質に依存する。
【００７２】
基地局の構造
上記で検討されたような１つの実施形態において、本発明は、ＳＤＭＡ（空間分割多元接続）無線データ通信システムにおいて実現される。このような空間分割システムでは、各端末は、例えば基地局とユーザ端末との間の無線通信チャネルに関する空間パラメータのセットに関連付けられる。空間パラメータは、各端末に対する空間シグネチャを含む。空間シグネチャとアレーアンテナを使用して、基地局からのＲＦエネルギーをより正確に単一のユーザ端末に向けることができ、他のユーザ端末との混信を低減し、他のユーザ端末の雑音閾値を低下させる。逆に、同時に幾つかの異なるユーザ端末から受信されたデータは、より低い受信エネルギーレベルで分解される。ユーザ端末の空間分割アンテナによって、通信に必要なＲＦエネルギーが更に小さくなる。この利点は、互いに空間的に離れている加入者において更に大きくなる。空間シグネチャは、送信器の空間位置、到着方向（ＤＯＡ）、到着時刻（ＴＯＡ）、及び基地局からの距離といった事柄を含むことができる。
【００７３】
信号パワーレベル、ＤＯＡ、及びＴＯＡなどのパラメータの推定値は、センサー（アンテナ）アレイ情報と共にチャネル等化のためのデジタルデータストリームに配置された既知のトレーニングシーケンスを使用して求めることができる。次に、この情報は、空間多重分離装置、多重化装置、結合器に対して適切な重み付けを計算するのに使用される。当該技術分野でよく知られる技術を用いて、空間パラメータを求める際に、トレーニングシーケンスの特性を活用することができる。空間分割及びＳＤＭＡシステムの使用に関する更なる詳細は、例えば、１９９８年１０月２７日、Ｏｔｔｅｒｓｔｅｎ他に付与された米国特許第５、８２８、６５８号、及び１９９７年６月２４日、Ｒｏｙ，III他に付与された第５、６４２、３５３号で説明されている。
【００７４】
（ＳＤＭＡ）技術は、時分割多元接続（ＴＤＭＡ）、周波数分割多元接続（ＦＤＭＡ）、及びコード分割多元接続（ＣＤＭＡ）などの他の多元接続システムと組み合わせることができる。多元接続は、周波数分割デュプレキシング（ＦＤＤ）又は時分割デュプレキシング（ＴＤＤ）と組み合わせることができる。
【００７５】
図４は、本発明を実施するのに適切な無線通信システム又はネットワークの基地局の実施形態を示す。基地局は、時分割多元接続（ＴＤＭＡ）、周波数分割多元接続（ＦＤＭＡ）、コード分割多元接続（ＣＤＭＡ）などの他の多元接続システムと組み合わせることができるＳＤＭＡ技術を使用する。多元接続は、周波数分割デュプレキシング（ＦＤＤ）又は時分割デュプレキシング（ＴＤＤ）と組み合わせることができる。システム又はネットワークは、図３に示されるように遠隔端末又はユーザ端末とも呼ばれる幾つかの加入者局を含む。基地局は、任意の要求されるデータサービス及び即時無線システムへの外部接続を提供するために、ホストＤＳＰ３１を介してワイドエリアネットワーク（ＷＡＮ）に接続される。
【００７６】
空間ダイバーシティをサポートするために、複数のアンテナ３は、例えば４つのアンテナなどのアンテナアレイ４を形成するのに使用されるが、他の数のアンテナを選択してもよい。各アンテナは、４素子アレイ４の素子である。更に、複数のアレイ４−１、４−２、４−３が提供される。アンテナ素子は、アレイが１０又は２０波長に分けられる場合に標準搬送波周波数の１／４波長から４波長までの間隔を有することができる。空間ダイバーシティの最適な間隔は、包含される特定の周波数、物理的設置、びシステムの他の態様に依存する。多くの用途において、各アレイのアンテナ素子間の間隔は、受信される信号の２波長より小さくすることができる。アンテナアレイ間の間隔は、受信される信号の２波長より大きくすることができる。一般に、１つのアレイの素子間の間隔は、各素子からの送信がコヒーレントに組み合わせられるときに、グレーティングローブを最小にするよう選択される。他の方法では、アレイは素子の均一なアレイを形成するように間隔を置いて配置される。種々のアレイの最も近い素子間の距離は、１つのアレイ内の素子間の間隔と同じである。上述のように、各アレイが単一の素子だけを有することも可能である。
【００７７】
各加入者局の空間多重重み付けのセットは、それぞれの変調信号に加えられ、４つのアンテナのバンクによって送信されることになる空間多重信化号を発生させる。ホストＤＳＰ３１は、各通常チャネルについて各加入者局の空間シグネチャを生成してこれを維持し、受信された信号の測定値を使用して空間多重重み付け及び多重分離重み付けを算出する。このようにして、一部が同じ通常チャネル上でアクティブである現在アクティブな加入者局からの信号が分離されて、混信と雑音が抑制される。基地局から加入者局へ通信する場合は、現在アクティブな加入者局接続及び混信状況に合わせて最適化されたマルチローブアンテナ放射パターンが生成される。使用されるチャネルは、任意の方式で分割することができる。１つの実施形態において、使用されるチャネルは、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）エアーインターフェース、或いは、デジタルセルラー、ＰＣＳ（Ｐｅｒｓｏｎａｌ  Ｃｏｍｍｕｎｉｃａｔｉｏｎ  Ｓｙｓｔｅｍ）、ＰＨＳ（Ｐｅｒｓｏｎａｌ  Ｈａｎｄｙｐｈｏｎｅ  Ｓｙｓｔｅｍ）、又はＷＬＬ（Ｗｉｒｅｌｅｓｓ  Ｌｏｃａｌ  Ｌｏｏｐ）などの他のいずれかの時分割エアーインターフェースプロトコルで定義されるように分割することができる。若しくは、連続のアナログ又はＣＤＭＡチャネルも使用できる。
【００７８】
アンテナの出力は、ＴＤＤ環境にありタイムスイッチとすることができるデュプレクサスイッチ７に接続される。デュプレクサスイッチの２つの可能な実装は、周波数分割デュプレキシング（ＦＤＤ）システムでの周波数デュプレクサとして、及び時分割デュプレキシング（ＴＤＤ）システムでのタイムスイッチとしてである。受信時には、アンテナ出力は、デュプレクサスイッチを介して受信器５に接続され、搬送波周波数からＦＭ中間周波数（ＩＦ）へＲＦ受信器（ＲＸ）モジュール５によってアナログにダウン変換される。次いで、この信号はＡ／Ｄコンバータ（ＡＤＣ）９によってデジタル化（サンプリング）される。ベースバンドへの最終ダウン変換はデジタル的に実行される。デジタルフィルタを用いて、ダウン変換及びデジタルフィルタリングを実施することができ、後者のデジタルフィルタリングは、有限インパルス応答（ＦＩＲ）フィルタリング技術を使用する。これはブロック１３として示される。本発明は、広範なＲＦ及びＩＦ搬送波周波数及び帯域に好適であるよう適合させることができる。
【００７９】
ＧＳＭの実施形態では、各アンテナのデジタルフィルタ１３から、１つの受信タイムスロットにつき１つずつの８つのダウン変換出力がある。特定のタイムスロットの数は、ネットワークのニーズに合わせて変えることができる。ＧＳＭが各ＴＤＭＡフレームにつき８つのアップリンク及びダウンリンクタイムスロットを使用する場合、各フレームにおいてアップリンク及びダウンリンクに対して任意の数のＴＤＭＡタイムスロットにより望ましい結果を達成することができる。８つの受信タイムスロットの各々について、４つのアンテナからの４つのダウン変換された出力が、デジタル信号プロセッサ（ＤＳＰ）３１及びＡＳＩＣ（特定用途向け集積回路）又はＦＰＧＡ（書替え可能ゲートアレイ）（以下「タイムスロットプロセッサ」とする）に送られ、本発明の一態様に従って較正を含む更なる処理を行う。ＴＤＭＡ信号において、受信タイムスロット当たりに１つずつの８つのＭｏｔｏｒｏｌａ  ＤＳＰ５６３００ファミリーＤＳＰをタイムスロットプロセッサとして使用することができる。タイムスロットプロセッサ１７は、受信された信号パワーをモニターし、周波数オフセット及び時間アラインメントを推定する。これらはまた、各アンテナ素子に対してスマートアンテナ重み付けを求める。これらは、特定の遠隔ユーザからの信号を確定し、確定された信号を復調するためにＳＤＭＡ方式で使用される。ＷＣＤＭＡシステムでは、チャネルはＦＰＧＡのコードを使用して分けることができ、次いで、異なるユーザに対して恐らくは別々のＤＳＰを使用して別々に更に処理することができる。プロセッサは、タイムスロットプロセッサではなくチャネルプロセッサである。
【００８０】
タイムスロットプロセッサ１７の出力は、８つの受信タイムスロットの各々に対する復調バーストデータである。このデータはホストＤＳＰプロセッサ３１に送られる。その主な機能は、システムの全ての要素を制御し、高いレベルの処理とインターフェースをとることである。高いレベルの処理とは、システムの通信プロトコルで定義された全ての異なる制御及びサービス通信チャネルにおける通信でどの信号が必要とされるかを扱う処理である。ホストＤＳＰ３１は、Ｍｏｔｏｒｏｌａ  ＤＳＰ５６３００ファミリーＤＳＰとすることができる。更に、タイムスロットプロセッサは、各ユーザ端末の決定された受信重み付けをホストＤＳＰ３１に送る。ホストＤＳＰ３１は、状態及びタイミング情報を保持し、タイムスロットプロセッサ１７からアップリンクバーストデータを受け取り、タイムスロットプロセッサ１７をプログラムする。更に、ホストＤＳＰ３１は、エラー訂正コードを解読し、スクランブルを解除し、チェックして、アップリンク信号のバーストをデコンストラクトし、次いで基地局の別の部分でより高いレベルの処理のために送られるアップリンク信号をフォーマットする。
【００８１】
更に、ＤＳＰ３１は、データ、命令、或いはホッピング関数又はシーケンスを記憶するためのメモリ素子を含む。或いは、基地局が別個のメモリ素子を有するか、又は補助メモリ素子にアクセスすることができる。基地局の他の部分に関しては、ＤＳＰ３１は、基地局でより高度な処理のためにサービスデータ及びトラフィックデータをフォーマットし、基地局の他の部分からダウンリンクメッセージ及びトラフィックデータを受け取り、ダウンリンクバーストを処理してフォーマットし、該ダウンリンクバーストを３７で示される送信コントローラ／変調器に送る。またホストＤＳＰは、送信コントローラ／変調器３７、３３で示されるＲＦタイミングコントローラを含む、基地局の他の構成要素のプログラミングを管理する。ＲＦコントローラ３３は、パワーモニタリング及び制御値を読取って送信し、デュプレクサ７を制御し、ホストＤＳＰ３１から各バーストのタイミングパラメータ及び他の設定を受け取る。
【００８２】
送信コントローラ／変調器３７は、ホストＤＳＰ３１から送信データを受信する。送信コントローラは、このデータを使用して、ＲＦ送信器（ＴＸ）モジュール３９に送られるアナログＩＦ出力を生成する。具体的には、受信されたデータビットは複合変調信号に変換され、ＩＦ周波数にアップ変換され、サンプリングされ、ホストＤＳＰ３１から得られた送信重み付けを乗算し、更に、送信コントローラ／変調器３７の一部であるＤ／Ａコンバータ（ＤＡＣ）によってアナログ送信波形に変換される。アナログ波形は送信モジュール３９に送られる。送信モジュール３９は信号を送信周波数にアップ変換し、信号を増幅する。増幅された送信信号出力は、デュプレクサ／タイムスイッチ７を介してアンテナ３に送られる。ＣＤＭＡシステムでは、信号を広げて、適切なコードを使用してスクランブルをかけることもできる。
【００８３】
ユーザ端末構造
図５は、データ又は音声通信を提供する遠隔端末での例証的な構成要素配置を示している。遠隔端末のアンテナ４５は、送信及び受信の両方にアンテナ４５が使用できるようにデュプレクサ４６に接続される。アンテナは、全指向性か又は指向性とすることができる。最適性能のために、アンテナは複数の素子で構成することができ、基地局のために上述のような空間処理を用いることができる。別の実施形態において、別々の受信及び送信アンテナがデュプレクサ４６を必要とせずに使用される。更に他の実施形態において、時分割デュプレキシングが使用される場合には、送信／受信（ＴＲ）スイッチを、当該技術分野でよく知られるようなデュプレクサの代わりに用いることができる。デュプレクサ出力４７は、受信器４８への入力として機能する。受信器４８は、復調器５１への入力であるダウン変換信号４９を生成する。復調された受信音又は音声信号６７はスピーカー６６に入力される。
【００８４】
遠隔端末は、送信されることになるデータ又は音声が変調器５７で変調される対応する一連の送信を行う。変調器５７によって出力される、送信される変調信号５９は、送信器６０によってアップ変換されて増幅され、送信器出力信号６１を発生する。送信器出力６１は、次に、デュプレクサ４６に入力され、アンテナ４５により送信される。
【００８５】
復調された受信データ５２は、復調５０前の受信データと同様に遠隔端末の中央処理装置６８（ＣＰＵ）に供給される。遠隔端末ＣＰＵ６８は、Ｍｏｔｏｒｏｌａシリーズ５６３００ファミリーＤＳＰなどの標準ＤＳＰ（デジタル信号プロセッサ）装置で実装することができる。また、このＤＳＰは、復調器５１と変調器５７の機能を実行することもできる。遠隔端末ＣＰＵ６８は、線路６３を介して受信器を、線路６２を介して送信器を、線路５２を介して復調器を、及び線路５８を介して変調器を制御する。更に、遠隔端末ＣＰＵ６８は、線路５４を介してキーボード５３と、線路５５を介してディスプレイ５６と通信する。マイクロフォン６４とスピーカー６６は、音声通信の遠隔端末のために線路６５、６７を通じ変調器５７と復調器５１を介してそれぞれ接続される。別の実施形態において、マイクロフォンとスピーカーは、音声又はデータ通信を行うためにＣＰＵと直接通信する。更に、遠隔端末ＣＰＵ６８はまた、データ、命令、ホッピング関数又はシーケンスを記憶するためのメモリ素子を含むこともできる。或いは、遠隔端末は、別個のメモリ素子を有するか、又は補助メモリ素子にアクセスすることができる。
【００８６】
１つの実施形態において、スピーカー６６とマイクロフォン６４は、当該技術分野でよく知られるデジタルインターフェースによって置き換えられるか、又は補強され、これにより外部データ処理装置（例えばコンピュータ）とデータを送受できるようになる。１つの実施形態において、遠隔端末のＣＰＵは、外部コンピュータへのＰＣＭＣＩＡインターフェースなどの標準デジタルインターフェースに結合され、ディスプレイ、キーボード、マイクロフォン、スピーカーは外部コンピュータの一部である。遠隔端末のＣＰＵ６８は、デジタルインターフェースと外部コンピュータのコントローラを通じてこれらの構成要素と通信する。データ専用通信では、マイクロフォンとスピーカーを省くことができる。音声専用通信では、キーボード及びディスプレイを省くことができる。
【００８７】
一般事項
上記において、本発明を完全に理解するために、説明の目的で多くの具体的な詳細が示されている。しかしながら、本発明は、これらの特定の詳細の一部がなくとも実施することができることは当業者には明らかであろう。他の場合においては、本明細書の理解を曖昧にすることを防ぐために、公知の回路、構造、装置、及び技術がブロック図の形で詳細なしに示されている。
【００８８】
本発明は種々のステップを含む。本発明のステップは、図２及び図３に示されるようなハードウェア構成要素によって実施でき、或いは機械実行可能な命令において具現化することができ、該命令を用いて、該命令がプログラムされた汎用又は特定用途のプロセッサ若しくは論理回路に各ステップを実行させることができる。或いは、ハードウェアとソフトウェアの組合せによって各ステップを実行することもできる。該ステップは、基地局又はユーザ端末のいずれかによって実行されるものとして説明されている。しかしながら、基地局によって実行されるものとして説明されているステップの多くは、ユーザ端末によって実行することができ、また逆の場合も同様である。更に本発明は、いずれかを基地局、ユーザ端末、遠隔端末、又は加入者局として指定せずに各端末が互いに通信するシステムにも等しく適用可能である。従って、本発明は、空間処理を使用する通信装置のピア・ツー・ピア無線ネットワークにも等しく適用可能であり、有用である。これらの装置は、携帯電話、ＰＤＡ、ラップトップコンピュータ、又は他の何らかの無線装置とすることができる。一般に、基地局と端末の両方が電波を使用するので、無線通信ネットワークのこれらの通信装置は一般的に無線機と呼ぶこともできる。
【００８９】
上記の一部の説明において、基地局だけが適応アンテナアレイを使用して空間処理を行うように説明されている。しかしながら、ユーザ端末も同様にアンテナアレイを包含することができ、更に、本発明の範囲内で受信及び送信（アップリンク及びダウンリンク）の両方で空間処理を行うことができる。
【００９０】
更に、上記の一部の説明において、基地局によって実行される特定の機能は、幾つかの基地局で協働して行われるようにネットワーク全体にわたり連係して働かせることができる。例えば、各基地局アンテナアレイは、異なる基地局の一部とすることができる。複数の基地局は、処理及び送受信機能を共用することができる。或いは、中心基地局コントローラが上述の機能の多くを実行することができ、信号の送信及び受信のために１つ又はそれ以上の基地局のアンテナアレイを用いることができる。
【００９１】
本発明は、本発明に従ってプロセスを実行するようコンピュータ（又は他の電子デバイス）をプログラムするために使用できる命令が格納された機械可読媒体を含むことができるコンピュータプログラム製品として提供することができる。この機械可読媒体は、フロッピー（登録商標）ディスク、光ディスク、ＣＤ−ＲＯＭ、光磁気ディスクを含み、さらにＲＯＭ、ＲＡＭ、ＥＰＲＯＭ、ＥＥＰＲＯＭ、磁気又は光カード、フラッシュメモリ、又は電子命令を格納するのに適した他のタイプの媒体／機械可読媒体を含むことができるが、これらに限定されない。更に本発明は、コンピュータプログラム製品としてダウンロードすることもでき、この場合、プログラムは、通信リンク（例えばモデム又はネットワーク接続）を介して搬送波又は他の伝播媒体で具現化されているデータ信号を用いて、遠隔コンピュータから要求コンピュータに転送することができる。
【００９２】
多くの方法がその最も基本的な形式において説明されているが、本発明の基本的な範囲から逸脱することなく、これらの方法のいずれについてもステップを付加又は削除することができ、更に、説明されたどのメッセージについても情報を付加又は削除することもできる。更に多くの修正及び付加が行えることは当業者には明らかであろう。特定の実施形態は、本発明を限定するためではなく、説明のために提供される。本発明の範囲は、上記で提供された特定の実施形態によって決定されるものではなく、添付の請求項によってのみ決定される。
【００９３】
本明細書を通じて言及される「１つの実施形態」又は「ある実施形態」は、特定の特徴が本発明の実施に含まれ得ることを意味する点を理解されたい。同様に、本発明の例示的な実施形態の前述の説明において、本開示を簡素化し且つ１つ又はそれ以上の種々の本発明の態様の理解を助ける目的で、場合によっては本発明の種々の特徴を単一の実施形態、図面、又は説明に一つにまとめていることを理解されたい。しかしながら本開示の方法は、請求された本発明が各請求項に明白に示された特徴以上のものを要求する意図を示すものとして解釈すべきではない。むしろ、添付の請求項が示すように、本発明の態様は、前述に開示された単一の実施形態の全ての特徴のうちにある。従って、添付の請求項は、本明細書の発明を実施するための最良の形態に明白に組み入れられており、各請求項は、本発明を個々に具現化するものとして固有に請求するものである。
【図面の簡単な説明】
【００９４】
【図１】本発明の実施形態の一態様を示すフローチャートである。
【図２】本発明の実施形態の第２の態様を示すフローチャートである。
【図３】本発明の実施形態の第３の態様を示すフローチャートである。
【図４】本発明の実施形態を実施することができる基地局の簡略ブロック図である。
【図５】本発明の実施形態を実施することができる遠隔端末のブロック図である。
【図１】
2005531994.tif 000004
【図２】
2005531994.tif 000005
【図３】
2005531994.tif 000006
【図４】
2005531994.tif 000007
【図５】
2005531994.tif 000008
【国際調査報告】
2005531994.tif 000009
2005531994.tif 000010